(57)【特許請求の範囲】
【請求項１】
ＩＣカードリーダライタとの間で通信を行い、格納されたプログラムに応じたデータ処理を実行する通信用ＩＣチップと、
前記通信用ＩＣチップに電気的に接続され、前記ＩＣカードリーダライタに対してデータを伝送する伝送Ｉ／Ｆ部と、
ＩＣカード本体に設けられた表示部と、
前記表示部を駆動制御する表示制御用ＩＣチップと、
前記表示部に表示されるデータを格納するメモリと、
前記ＩＣカードリーダライタと前記通信用ＩＣチップとの通信時間を検知する検知手段と、
を備えたＩＣカードであって、
前記表示制御用ＩＣチップは、
前記伝送Ｉ／Ｆ部に結線され、
前記伝送Ｉ／Ｆ部において伝送されるデータのうち、前記通信用ＩＣチップから前記ＩＣカードリーダライタへ送信されるレスポンスデータを読み取る読取手段と、
前記レスポンスデータから所定データを抽出し、前記メモリに保持する保持手段と、
前記検知手段により所定時間以上の通信が検知された場合に、前記保持手段により保持された所定データを前記表示部に表示させる表示制御手段と、
を備えることを特徴とする表示機能付きＩＣカード。
【請求項２】
ユーザの操作に応じた操作信号を前記表示制御用ＩＣチップに送信する操作部を、ＩＣカード本体に更に備え、
前記表示制御手段は、前記操作部からの操作に応じて前記所定データを前記表示部に表示させることを特徴とする請求項１に記載の表示機能付きＩＣカード。
【請求項３】
前記表示部及び前記表示制御用ＩＣチップに対して電源を供給する電池を更に備えることを特徴とする請求項１または請求項２に記載の表示機能付きＩＣカード。
【請求項４】
ＩＣカードリーダライタとの間で通信を行い、格納されたプログラムに応じたデータ処理を実行する通信用ＩＣチップと、前記通信用ＩＣチップに電気的に接続され、前記ＩＣカードリーダライタに対してデータを伝送する伝送Ｉ／Ｆ部とを備えた通信用基板に重ね合わされる表示用基板であって、
表示部と、
表示部を制御するための表示制御用ＩＣチップと、
表示制御用ＩＣチップを前記伝送Ｉ／Ｆ部に接続するための接続部と、
前記ＩＣカードリーダライタと前記通信用ＩＣチップとの通信時間を検知する検知手段と、
を備え、
前記表示制御用ＩＣチップは、
前記伝送Ｉ／Ｆ部に結線され、
前記伝送Ｉ／Ｆ部において伝送されるデータのうち、前記通信用ＩＣチップから前記ＩＣカードリーダライタへ送信されるレスポンスデータを読み取る読取手段と、
前記検知手段により所定時間以上の通信が検知された場合に、前記レスポンスデータから所定データを抽出し、前記表示部に表示させる表示制御手段と、
を備えることを特徴とする表示機能付きＩＣカードの表示用基板。
【請求項５】
ＩＣカードリーダライタとの間で通信を行い、格納されたプログラムに応じたデータ処理を実行する通信用ＩＣチップと、前記通信用ＩＣチップに電気的に接続され、前記ＩＣカードリーダライタに対してデータを伝送する伝送Ｉ／Ｆ部と、ＩＣカード本体に設けられた表示部と、前記表示部を駆動制御する表示制御用ＩＣチップと、前記表示部に表示されるデータを格納するメモリと、前記ＩＣカードリーダライタと前記通信用ＩＣチップとの通信時間を検知する検知手段と、を備え、前記表示制御用ＩＣチップが前記伝送Ｉ／Ｆ部に結線されたＩＣカードにおけるデータ表示方法であって、
前記表示制御用ＩＣチップは、
前記伝送Ｉ／Ｆ部において伝送されるデータのうち、前記通信用ＩＣチップから前記ＩＣカードリーダライタへ送信されるレスポンスデータを読み取るステップと、
前記レスポンスデータから所定データを抽出し、前記メモリに保持するステップと、
前記検知手段により所定時間以上の通信が検知された場合に、保持された所定データを前記表示部に表示させるステップと、
を含むことを特徴とするデータ表示方法。
【発明の詳細な説明】
【技術分野】
【０００１】
本発明は、表示機能を備えたＩＣカードの配線構造と、表示機能付きＩＣカードに好適なデータ表示方法に関する。
【背景技術】
【０００２】
近年、ＩＣカード本体に表示機能を備えたものが開発されている。例えば、特許文献１では、非接触ＩＣカードに強誘電性液晶を使用した表示装置を設けるという方法が提案されている。
また、特許文献２では、表示機能を備えた接触・非接触兼用型ＩＣカードにおいて、非接触通信用のアンテナとは別に表示部への電力供給用アンテナを設け、非接触通信中に接触・非接触兼用型ＩＣチップが外部のＩＣカードリーダライタから表示データを取得し、非接触通信が遮断された状態で、接触・非接触兼用型ＩＣチップから表示用ＣＰＵへ表示データを出力し、表示部へ表示させるＩＣカードが提案されている。
【０００３】
このような表示機能付きＩＣカードでは、表示部に表示させる表示データを通信用ＩＣチップから取得している。例えば特許文献１では、外部ＩＣカードリーダライタとの通信中に通信用ＩＣチップ（非接触型ＩＣチップ）にて取得した表示データを、そのまま表示部へ渡し、通信用ＩＣチップの制御により表示データを表示部に表示させている。また、例えば特許文献２のように、通信用のＩＣチップとは別に表示制御用のＩＣチップを備える表示機能付きＩＣカードでは、接触・非接触兼用型ＩＣチップのＩ／Ｏ端子と、表示制御用ＣＰＵとが接続される旨が記載がある。
【先行技術文献】
【特許文献】
【０００４】
【特許文献１】特開平１０−１５４２１５号公報
【特許文献２】特開２００９−１２２８７７号公報
【発明の開示】
【発明が解決しようとする課題】
【０００５】
しかしながら、上述の特許文献２のように、通信用ＩＣチップと表示制御用ＣＰＵとを接続して表示データを得る場合には、表示データ出力用の端子（Ｉ／Ｏ端子）が通信用ＩＣチップに設けられている必要がある。そのため、表示機能のないＩＣカードに使用される通信用ＩＣチップとは別に、表示機能付きＩＣカード用の通信用ＩＣチップを開発及び製造する必要がある。ところが、通信用ＩＣチップの規格は既に標準化されており、規格変更は難しい。そのため既存の通信用ＩＣチップをそのまま利用して表示機能付きＩＣカードを容易に製造したいという課題があった。
【０００６】
本発明は、このような課題に鑑みてなされたもので、表示機能付きＩＣカードの製造を容易とするとともに、当該表示機能付きＩＣカードにおいて好適なデータ表示方法を提供することを目的とする。
【課題を解決するための手段】
【０００７】
前述した課題を解決するため第１の発明は、ＩＣカードリーダライタとの間で通信を行い、格納されたプログラムに応じたデータ処理を実行する通信用ＩＣチップと、前記通信用ＩＣチップに電気的に接続され、前記ＩＣカードリーダライタに対してデータを伝送する伝送Ｉ／Ｆ部と、ＩＣカード本体に設けられた表示部と、前記表示部を駆動制御する表示制御用ＩＣチップと、前記表示部に表示されるデータを格納するメモリと、前記ＩＣカードリーダライタと前記通信用ＩＣチップとの通信時間を検知する検知手段と、を備えたＩＣカードであって、前記表示制御用ＩＣチップは、前記伝送Ｉ／Ｆ部に結線され、前記伝送Ｉ／Ｆ部において伝送されるデータのうち、前記通信用ＩＣチップから前記ＩＣカードリーダライタへ送信されるレスポンスデータを読み取る読取手段と、前記レスポンスデータから所定データを抽出し、前記メモリに保持する保持手段と、前記検知手段により所定時間以上の通信が検知された場合に、前記保持手段により保持された所定データを前記表示部に表示させる表示制御手段と、を備えることを特徴とする表示機能付きＩＣカードである。
【０００８】
第１の発明により、表示機能付きＩＣカードの表示制御用ＩＣチップが、伝送Ｉ／Ｆ部に結線されるので、伝送Ｉ／Ｆ部を介して通信用ＩＣチップからＩＣカードリーダライタに伝送されるデータを読み出すことが可能となる。
従って、通信用ＩＣチップに表示データ出力用の端子を特に設けなくても、通信用ＩＣチップ内のデータを取得して表示部に表示させることができるようになる。また、表示機能付きＩＣカードの作成に、既存の通信用ＩＣチップやアンテナシート等をそのまま利用することが可能となる。その結果、通信用ＩＣチップの開発及び製造を新たに行う必要がなくなるため、製造コストを抑え、製造時間を短縮できるようになる。
更に、通信用ＩＣチップからＩＣカードリーダライタへ送信されるレスポンスデータから表示部に表示させるデータを抽出してメモリに保持するとともに、表示させることができるため、通信用ＩＣチップから外部へ出力されるデータの一部または全部を表示データとすることが可能となる。
更に、所定時間以上ＩＣカードリーダライタと通信した場合に、表示部にデータを表示させることが可能となるので、ＩＣカードリーダライタとの通信のタイミングで表示内容を更新でき、実用的である。また、ＩＣカードへの電源供給の観点からも好適である。
【００１０】
また、ユーザの操作に応じた操作信号を前記表示制御用ＩＣチップに送信する操作部を、ＩＣカード本体に更に備え、前記表示制御手段は、前記操作部からの操作に応じて前記所定データを前記表示部に表示させることが望ましい。
これにより、ユーザの好みのタイミングでＩＣカードの表示部にデータを表示させることが可能となる。
【００１２】
また、表示部及び表示制御用ＩＣチップに対して電源を供給する電池を更に備えることが望ましい。
これにより、ＩＣカードリーダライタがない場所でＩＣカードの表示部にデータを表示させる場合にも、ＩＣカードが備える電池から電源を得ることが可能となる。
【００１３】
第２の発明は、ＩＣカードリーダライタとの間で通信を行い、格納されたプログラムに応じたデータ処理を実行する通信用ＩＣチップと、前記通信用ＩＣチップに電気的に接続され、前記ＩＣカードリーダライタに対してデータを伝送する伝送Ｉ／Ｆ部とを備えた通信用基板に重ね合わされる表示用基板であって、表示部と、表示部を制御するための表示制御用ＩＣチップと、表示制御用ＩＣチップを前記伝送Ｉ／Ｆ部に接続するための接続部と、前記ＩＣカードリーダライタと前記通信用ＩＣチップとの通信時間を検知する検知手段と、を備え、前記表示制御用ＩＣチップは、前記伝送Ｉ／Ｆ部に結線され、前記伝送Ｉ／Ｆ部において伝送されるデータのうち、前記通信用ＩＣチップから前記ＩＣカードリーダライタへ送信されるレスポンスデータを読み取る読取手段と、前記検知手段により所定時間以上の通信が検知された場合に、前記レスポンスデータから所定データを抽出し、前記表示部に表示させる表示制御手段と、を備えることを特徴とする表示機能付きＩＣカードの表示用基板である。
【００１４】
第２の発明によれば、表示部と、表示部を制御するための表示制御用ＩＣチップと、表示制御用ＩＣチップを前記伝送Ｉ／Ｆ部に接続するための接続部を備えた表示用基板を、通信用基板に重ね合わせることにより、接続部を介して表示制御用ＩＣチップと前記伝送Ｉ／Ｆ部とを導通させることが可能となる。その結果、従来用いられているＩＣカードの通信用基板または通信用ＩＣチップをそのまま使用して、簡単に表示機能付きＩＣカードを製造することが可能となる。
更に、通信用ＩＣチップからＩＣカードリーダライタへ送信されるレスポンスデータから表示部に表示させるデータを抽出して表示部に表示させることができるため、通信用ＩＣチップから外部へ出力されるデータの一部または全部を表示データとすることが可能となる。
更に、所定時間以上ＩＣカードリーダライタと通信した場合に、表示部にデータを表示させることが可能となるので、ＩＣカードリーダライタとの通信のタイミングで表示内容を更新でき、実用的である。また、ＩＣカードへの電源供給の観点からも好適である。
【００１６】
第３の発明は、ＩＣカードリーダライタとの間で通信を行い、格納されたプログラムに応じたデータ処理を実行する通信用ＩＣチップと、前記通信用ＩＣチップに電気的に接続され、前記ＩＣカードリーダライタに対してデータを伝送する伝送Ｉ／Ｆ部と、ＩＣカード本体に設けられた表示部と、前記表示部を駆動制御する表示制御用ＩＣチップと、前記表示部に表示されるデータを格納するメモリと、前記ＩＣカードリーダライタと前記通信用ＩＣチップとの通信時間を検知する検知手段と、を備え、前記表示制御用ＩＣチップが前記伝送Ｉ／Ｆ部に結線されたＩＣカードにおけるデータ表示方法であって、前記表示制御用ＩＣチップは、前記伝送Ｉ／Ｆ部において伝送されるデータのうち、前記通信用ＩＣチップから前記ＩＣカードリーダライタへ送信されるレスポンスデータを読み取るステップと、前記レスポンスデータから所定データを抽出し、前記メモリに保持するステップと、前記検知手段により所定時間以上の通信が検知された場合に、保持された所定データを前記表示部に表示させるステップと、を含むことを特徴とするデータ表示方法である。
【００１７】
第３の発明によって、表示制御用ＩＣチップは、伝送Ｉ／Ｆ部に結線され、伝送Ｉ／Ｆ部を介して通信用ＩＣチップからＩＣカードリーダライタに伝送されるデータのうち、レスポンスデータを読出し、表示部に表示させるデータを抽出してメモリに保持するとともに、表示させることができる。
これにより、表示機能付きＩＣカードにおいて、通信用ＩＣチップから外部へ出力されるデータの一部または全部を表示データとして表示させることが可能となる。
更に、所定時間以上ＩＣカードリーダライタと通信した場合に、表示部にデータを表示させることが可能となるので、ＩＣカードリーダライタとの通信のタイミングで表示内容を更新でき、実用的である。また、ＩＣカードへの電源供給の観点からも好適である。
【発明の効果】
【００１８】
本発明により、表示機能付きＩＣカードの製造を容易とすることができ、また、当該表示機能付きＩＣカードにおいて好適なデータ表示方法を提供できる。
【図面の簡単な説明】
【００１９】
【図１】表示機能付き非接触ＩＣカード１Ａの外観構成図
【図２】表示機能付き非接触ＩＣカード１Ａの内部構成を示すブロック図
【図３】表示機能付き非接触ＩＣカード１Ａの断面構造図
【図４】表示制御用ＩＣチップ２にて実行される表示処理の流れを示すフローチャート
【図５】ソーラーパネル８及び操作部９を備えた表示機能付き非接触ＩＣカード１０Ａの外観構成図
【図６】表示機能付き接触型ＩＣカード１Ｂの外観構成図
【図７】表示機能付き接触型ＩＣカード１Ｂの内部構成を示すブロック図
【図８】表示機能付き接触型ＩＣカード１Ｂの断面構造図
【発明を実施するための形態】
【００２０】
以下、図面に基づいて本発明の好適な実施形態について詳細に説明する。
［第１の実施の形態］
第１の実施の形態では、本発明に係る表示機能付きＩＣカード１のうち、非接触型のもの（表示機能付き非接触ＩＣカード１Ａ）について説明する。
図１は、表示機能付き非接触ＩＣカード１Ａの外観構成を示す図、図２は、表示機能付き非接触ＩＣカード１Ａの内部構成を示すブロック図、図３は、表示機能付き非接触ＩＣカード１Ａの概略断面構造を示す図である。
【００２１】
図１に示すように、表示機能付き非接触ＩＣカード１Ａは、カード基体１０の表面に表示内容が露出するように表示部５が設けられている。表示部５には、例えば電子ペーパを採用でき、文字や画像等の表示データが表示される。
電子ペーパは、例えば、コレステリック液晶でマトリックス回路を形成したフィルム基板に塗工してパッシブ駆動するもの、または電子粉流体を用いたものがあるが、いずれを採用してもよい。電子粉流体の場合は、黒文字と白地の２色表示となり、コレステリック液晶の場合は、緑文字と黒字の２色表示またはカラー表示を行える。
【００２２】
電子ペーパの電力消費は表示書き換え時のみ行われ、書き換えられた表示画面は電力消費なしで保持でき、また、ディスプレイの視認性も確保できる。表示画面は、通常の温度（０〜４０℃）、湿度（４０〜６０％）の条件で３０日間程度保持できる。電子ペーパの１画面の書き換えに要する時間は、実行開始から１０秒以内である。また電子ペーパは１００００回以上書き換え可能である。
【００２３】
また、表示機能付き非接触ＩＣカード１Ａの内部には、図２に示すように、非接触型ＩＣチップ７、非接触通信のためのアンテナコイル６（伝送Ｉ／Ｆ部）、表示制御用ＩＣチップ２、ドライバ３、メモリ４、及び表示部５が備えられる。更に必要に応じて電池８を備えてもよい。
【００２４】
また、表示機能付き非接触ＩＣカード１Ａは、図３に示すように、表示用基板１１及び非接触通信用基板１３を中心層として、その両側に外装フィルム１５、１７がそれぞれ積層されてカード基体１０を構成する。
【００２５】
表示用基板１１には、上述のように電子ペーパ５（表示部５）、表示制御用ＩＣチップ２、ドライバ３、及びメモリ４が実装される。
表示制御用ＩＣチップ２は、ＣＰＵ（Ｃｅｎｔｒａｌ  Ｐｒｏｃｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、外部インターフェース（外部入出力端子）等を備え、外部インターフェースを介してメモリ４、ドライバ３、電池８、及びアンテナコイル６に接続される。ドライバ３には表示部５が接続される。これにより、表示制御用ＩＣチップ２は、ドライバ３を駆動して、メモリ４内に保持されたデータを表示部５に表示させることができる。
【００２６】
また、表示制御用ＩＣチップ２の外部インタフェースのうち、アンテナコイル６と接続するための接続部は、後述する導線Ｌ１またはバンプにより形成される。表示制御用ＩＣチップ２の導線Ｌ１またはバンプは、表示用基板１１と非接触通信用基板１３とを重ね合わせた際に、アンテナコイル６に接触する位置及び導線長さまたはバンプ高さに形成される。
なお、表示制御用ＩＣチップ２の外形寸法は、７ｍｍ×７ｍｍ程度、市販品の厚みは１ｍｍ程度であるが、本発明の表示機能付きＩＣカード１に使用する場合は、背面を研磨して３００μｍ程度にして使用する必要がある。
【００２７】
ドライバ３は、表示部５を駆動するための駆動回路である。通常は表示部５の縁辺部にマトリックス配線と一体にして設けられる。ドライバ３の外形寸法は、例えば１．５ｍｍ×１０．０ｍｍや２．０ｍｍ×２２．５ｍｍ程度である。厚みがかなりあるので、表示制御用ＩＣチップ２と同様に背面を研磨して３００μｍ程度にする必要がある。
メモリ４は、不揮発性の半導体メモリであり、ＥＰＲＯＭ（Ｅｒａｓａｂｌｅ  Ｐｒｏｇｒａｍａｂｌｅ  ＲＯＭ）、フラッシュメモリ等により構成される。メモリ４の厚みは３００μｍ程度以内のものが使用される。
【００２８】
非接触通信用基板１３は、アンテナコイル６が形成されたアンテナシート上に非接触型ＩＣチップ７が配設されて構成される。アンテナシートには、既存の任意のタイプの非接触ＩＣカードのアンテナシートを使用すればよい。アンテナコイル６は、アンテナシートの面上に露出し、面内を周回する形態等に形成される。アンテナコイル６の形成には、巻き線方式、シルクスクリーン印刷方式、エッチング方式、メッキ方式等のいずれを用いてもよい。アンテナコイル６の両端は非接触型ＩＣチップ７に接続される。
非接触型ＩＣチップ７は、ＣＰＵ、ＲＯＭ、ＲＡＭ、ＥＥＰＲＯＭを備え、外部のＩＣカードリーダライタ２０との間で通信を行い、ＲＯＭに格納されたプログラムに応じたデータ処理を実行する。
【００２９】
非接触型ＩＣチップ７は、機能にもよるが通常は４．０ｍｍ角以内の平面サイズ、厚みは２００μｍ程度以内とする。アンテナコイル６は、アンテナシート面に露出しているため、アンテナコイル６のどの部分でも後述する導線Ｌ１が接続可能となっている。
【００３０】
次に、図２及び図３を参照して、表示機能付き非接触ＩＣカード１Ａの配線について説明する。
図２に示すように、本発明の表示機能付き非接触ＩＣカード１Ａでは、表示制御用ＩＣチップ２がアンテナコイル６に結線される。
すなわち、表示制御用ＩＣチップ２の外部インターフェイス（入出力端子）とアンテナコイル６の任意の部位とが導線Ｌ１またはバンプにより接続される。アンテナコイル６は、その両端が非接触型ＩＣチップ７に接続されているため、外部のＩＣカードリーダライタ２０との通信中には、非接触型ＩＣチップ７が送受信するデータが伝送される。
これにより、表示制御用ＩＣチップ２は、非接触型ＩＣチップ７が外部のＩＣカードリーダライタ２０と通信するデータを取得できるようになる。
【００３１】
表示制御用ＩＣチップ２とアンテナコイル６との導線Ｌ１による接続は、例えば図３に示す例のように実現される。
図３（ａ）の例では、表示用基板１１の一部に導線Ｌ1を通す貫通孔Ｈ１を形成し、この貫通孔Ｈ１に導線Ｌ１を通すことによって、アンテナコイル６と表示制御用ＩＣチップ２の外部入出力端子とを接続する。
【００３２】
また、図３（ｂ）に示すように、表示用基板１１の表示制御用ＩＣチップ２等を配設した面と、非接触通信用基板１３のアンテナコイル６を配設した面とを向き合わせ、アンテナコイル６と表示制御用ＩＣチップ２の外部入出力端子とを導線Ｌ１またはバンプにて接続するようにしてもよい。この場合、表示用基板１１上の部材と非接触通信用基板１３上の部材とが重ならないように、各部材が配置される。図３（ｂ）の例では、表示用基板１１に貫通孔Ｈ１を形成する必要がなく、より簡単に表示用基板１１を生成できる。
【００３３】
図３の外装フィルム１５、１７、表示用基板１１、及び非接触通信用基板１３の各層間は、配線後、エポキシ系またはウレタン系等の液状の樹脂が充填され、接着・硬化される。
【００３４】
外装フィルム１５、１７の厚みは約１００μｍである。表示用基板１１は、基板部分の厚みが約５０μｍ、表示制御用ＩＣチップ２、ドライバ３、及びメモリ４、表示部５の厚みが約３００μｍである。また、非接触ＩＣカード基板１３は、基板部分の厚みが５０μｍ、非接触型ＩＣチップ７の厚みが約２００μｍである。表示制御ＩＣチップ２、ドライバ３、非接触型ＩＣチップ７等の凸部は、その上部に重なる部分を穴あけして逃がす構成とし、表示機能付きＩＣカード１の積層構造は、全体で０．６８ｍｍから０．８４ｍｍの厚みになるようにすることが望ましい。
【００３５】
以上のように、本発明の表示機能つき非接触ＩＣカード１Ａは、表示制御用ＩＣチップ２の外部入出力端子を非接触通信基板１３の基板面に露出したアンテナコイル６（伝送Ｉ／Ｆ部）に結線することにより電気的に接続させるので、表示用基板１１と非接触通信用基板１３とがそれぞれ独立した部材として開発できる。特に、非接触通信用基板１３は既存のアンテナシートをそのまま利用することが可能となるため、開発期間、製造期間を短縮させることが可能となるとともに、製造コストを抑えることが可能となる。
【００３６】
このように構成される表示機能付き非接触ＩＣカード１Ａにおいて、表示制御用ＩＣチップ２は、非接触型ＩＣチップ７から出力されＩＣカードリーダライタ２０へ送信されるデータ（レスポンスデータ）を、アンテナコイル６に結線された導線Ｌ１にて読み出す。また表示制御用ＩＣチップ２は、読み出したレスポンスデータから所定の表示用データを抽出し、メモリ４に保持する。そして表示制御用ＩＣチップ２は、所定のタイミングでドライバ３を駆動し、メモリ４に保持されているデータを表示部５に表示させる。
【００３７】
次に、図４のフローチャートを参照して、表示機能付き非接触ＩＣカード１Ａにおける表示に関する動作を説明する。
ユーザが表示機能付き非接触ＩＣカード１ＡをＩＣカードリーダライタ２０にかざすことにより、表示機能付き非接触ＩＣカード１ＡがＩＣカードリーダライタ２０と通信を開始すると（ステップＳ１０１；Ｙｅｓ）、表示制御用ＩＣチップ２は、アンテナコイル６（伝送Ｉ／Ｆ）からレスポンスデータを取得する（ステップＳ１０２）。レスポンスデータとは、非接触型ＩＣチップ７から外部のＩＣカードリーダライタ２０へ送信されるデータである。外部のＩＣカードリーダライタ２０から非接触型ＩＣチップ７へ送信されるデータをコマンドと呼ぶ。
【００３８】
非接触型ＩＣチップ７は外部のＩＣカードリーダライタ２０からコマンドを受信すると、コマンドに応じたレスポンスデータをＩＣカードリーダライタ２０へ送信する。コマンド及びレスポンスとして送受信されるデータの内容は、金融、交通、決済、ポイント等、ＩＣカードの使用態様に応じて取り決められている。本実施の形態では、例えば累計金額等、表示機能付きＩＣカード１で表示させたい内容のデータをレスポンスデータに含むように、データフォーマットが生成されているものとする。
【００３９】
レスポンスデータには、ＩＣカードリーダライタ２０から要求されるコマンドに応じた種々のデータが含まれるが、この例では、表示制御用ＩＣチップ２はレスポンスデータから累計金額データを抽出し（ステップＳ１０３）、メモリ４に保持する（ステップＳ１０４）。
【００４０】
通信開始後、すぐにユーザが表示機能付き非接触ＩＣカード１ＡをＩＣカードリーダライタ２０にかざすことをやめると、通信を終了し（ステップＳ１０５；Ｙｅｓ）、そのまま次の通信開始を待機する。
【００４１】
表示機能付き非接触ＩＣカード１ＡとＩＣカードリーダライタ２０との通信が継続し（ステップＳ１０５；Ｎｏ）、例えば５秒以上等、所定の時間が経過すると（ステップＳ１０６；Ｙｅｓ）、表示制御用ＩＣチップ２は、メモリ４内に保持されているデータ（累計金額等）を表示部５に表示させるようドライバ３を制御する（ステップＳ１０７）。表示部５の内容が書き換えられると、ステップＳ１０１へ戻り、表示制御用ＩＣチップ２は、次の通信開始を待機する。
【００４２】
上述の処理フローは、電池８の搭載されない表示機能付き非接触ＩＣカード１Ａに好適な例である。電池８の搭載されない表示機能付き非接触ＩＣカード１Ａでは、ＩＣカードリーダライタ２０との通信中に表示制御用ＩＣチップ２及び表示部５への電源が供給されるものとする。従って、例えばユーザがＩＣカードリーダライタ２０に表示機能付き非接触ＩＣカード１Ａを所定時間以上かざした場合に、表示制御用ＩＣチップ２は表示部５への表示を行なうよう制御することが好ましい。
【００４３】
電池８の搭載された表示機能付き非接触ＩＣカード１Ａでは、任意のタイミングでメモリ４に保持されているデータを表示部５に表示させることが可能である。例えば、図５に示すＩＣカード１０Ａのように、図１〜図３に示す表示機能付き非接触ＩＣカード１Ａに、更に電池８及び操作部９を設ける。電池８は、表示制御用ＩＣチップ２及びドライバ３を駆動するもので、例えば、太陽電池等により構成される。また、操作部９は、例えばタッチセンサにより構成され、操作部９へのタッチ操作を感知し、表示制御用ＩＣチップ２に対してＯＮ信号を出力する。表示制御用ＩＣチップ２は、操作部９から入力されるＯＮ信号に応じて、メモリ４内のデータを表示部５に表示させる。
【００４４】
図４のフローチャートに示すように、通信が開始されていない場合（ステップＳ１０１；Ｎｏ）にも、表示制御用ＩＣチップ２は操作部９へのタッチ操作の有無を判断し、タッチ操作があった場合に（ステップＳ１０８；Ｙｅｓ）、メモリ４内に記憶されている累計金額を表示部５に表示させる（ステップＳ１０７）。
【００４５】
以上説明したように、第１の実施の形態の表示機能付き非接触ＩＣカード１Ａは、ＩＣカードリーダライタ２０との間で通信を行い、格納されたプログラムに応じたデータ処理を実行する非接触型ＩＣチップ７と、非接触型ＩＣチップ７に接続され、ＩＣカードリーダライタ２０と非接触ＩＣカード１Ａとの間のデータ伝送路となるアンテナコイル６と、カード基体１０に設けられた表示部５（電子ペーパ及びドライバ３）と、表示部５を駆動制御する表示制御用ＩＣチップ２と、表示部５に表示されるデータを格納するメモリ４と、を備え、表示制御用ＩＣチップ２の入出力端子は、アンテナコイル６に結線される。
そして、表示制御用ＩＣチップ７は、アンテナコイル６に伝送されるデータを読み取り、読み取ったデータから累計金額等の所定データを抽出してメモリ４に保持し、所定のタイミングで保持されたデータを表示部５に表示させる。
【００４６】
これにより、表示制御用ＩＣチップ２は、アンテナコイル６を伝送するデータから表示データを取得できるため、非接触型ＩＣチップ７に表示データ出力用の端子を設ける必要がない。そのため、既存の非接触型ＩＣチップ７やアンテナシート等をそのまま利用して、表示機能付きＩＣカード１を作成することができるようになる。
【００４７】
また、表示制御用ＩＣチップ２は、ＩＣカードリーダライタ２０と非接触型ＩＣチップ７との通信時間を判定し、所定時間以上の通信が検知された場合に、メモリ４に保持されたデータを表示部５に表示させる。また、表示部５に電子ペーパを採用した場合には、一度書き換えられた表示内容は長期間表示状態が保たれる性質を持つため、ＩＣカードリーダライタ２０にかざしていないときにも、表示内容を確認できる。
【００４８】
また、タッチセンサ等の操作部９を更に備えた場合には、表示制御用ＩＣチップ２は、操作部９からの操作に応じてメモリ４に保持されているデータを表示部５に表示させることも可能である。この場合は、表示部４に電源を供給する電池８を更に備えることが好適である。
【００４９】
なお、上述の例では、アンテナコイル６から読み出され、表示部５に表示されるデータは累計金額としたが、これに限定されない。例えば、交通機関で使用されるＩＣカードでは、残額やチャージ履歴等、また、クレジットカードやキャッシュカードのように金融機関で使用されるＩＣカードでは、取引履歴、決済予定日、口座残高等、ポイントカードであれば、ポイント合計、ポイント有効期限、、更新履歴等が考えられる。なお、いずれの場合も、非接触型ＩＣチップ７がＩＣカードリーダライタ２０に対して出力するレスポンスデータとして、これらのデータを含めたデータフォーマットが形成されている必要がある。
【００５０】
［第２の実施の形態］
次に、本発明の第２の実施の形態について説明する。
第２の実施の形態では、本発明に係る表示機能付きＩＣカード１のうち、接触型のもの（表示機能付き接触型ＩＣカード１Ｂ）について説明する。
図６は、表示機能付き接触型ＩＣカード１Ｂの外観構成を示す図、図７は、表示機能付き接触型ＩＣカード１Ｂの内部構成を示すブロック図、図８は、表示機能付き接触型ＩＣカード１Ｂの概略断面構造を示す図である。
【００５１】
図６に示すように、表示機能付き接触型ＩＣカード１Ｂは、第１の実施の形態の表示機能付き非接触ＩＣカード１Ａと同様に、カード基体１０の表面に表示部５を備える。また表示機能付き接触型ＩＣカード１Ｂは、表面に接触端子２１を備える。接触端子２１は、ＩＳＯ規格に基づく８個の外部接続端子Ｃ１〜Ｃ８が形成されるものとする。Ｃ１は回路電圧端子、Ｃ２はリセット信号端子、Ｃ３はクロック信号端子、Ｃ５は接地端子、Ｃ６はプログラム供給電圧端子、Ｃ７はデータ入出力端子、Ｃ４及びＣ８は予備端子である。
【００５２】
また、表示機能付き接触型ＩＣカード１Ｂは、図７に示すように、接触型ＩＣチップ２３、接触端子２１（伝送Ｉ／Ｆ部）、表示制御用ＩＣチップ２、ドライバ３、メモリ４、及び表示部５を備えるものとする。
【００５３】
また、表示機能付き接触型ＩＣカード１Ｂは、図８の断面図に示すように、表示用基板２９及び接触通信用基板２５を中心層として、その両側に外装フィルム１５、１７がそれぞれ積層されてカード基体１０を構成する。
【００５４】
表示用基板２９には、第１の実施の形態の表示用基板１１と同様に、電子ペーパ５（表示部５）、表示制御用ＩＣチップ２、ドライバ３、及びメモリ４が実装される。なお、図８では、メモリ４は異なる断面位置に配設され、図示が省略されているものとする。表示部５、ドライバ３、メモリ４、及び表示制御用ＩＣチップ２の各部は、第１の実施の形態と同様であるので説明を省略する。
【００５５】
接触端子２１の背面には接触型ＩＣチップ２３が接続されている。接触端子２１及び接触型ＩＣチップ２３の接続構造は従来と同様のものでよい。例えば、図８に示すように、接触端子２１の各端子Ｃ１〜Ｃ８が導通孔Ｈ３，Ｈ４を通る導線Ｌ３，Ｌ４または導通性接着剤により接触型ＩＣチップ２３の各端子に電気的に接続される。
接触型ＩＣチップ２３は、ＩＣカードリーダライタ２０に挿入されると、接触端子２１を介してＩＣカードリーダライタ２０との通信を行い、接触通信用ＩＣチップ２３に格納されたプログラムに応じたデータ処理を実行する。
【００５６】
次に、図７及び図８を参照して、表示機能付き接触型ＩＣカード１Ｂの配線について説明する。
図７に示すように、本発明の表示機能付き接触型ＩＣカード１Ｂでは、表示制御用ＩＣチップ２が接触端子２１に結線される。
すなわち、表示制御用ＩＣチップ２の入出力端子と、表示機能付き接触型ＩＣカード１Ｂの接触端子２１の例えばＣ７端子（データ入出力端子）とが、導線Ｌ２により接続される。または、接触端子２１と接触型ＩＣチップ２３とを接続する導線Ｌ３、Ｌ４のうち、Ｃ７端子（データ入出力端子）に接続されるものに導線Ｌ２を接続してもよい。
接触型ＩＣチップ２３は、Ｃ７端子から入出力されるデータに表示用データが含まれるようにデータフォーマットを構成する。表示用データは、第１の実施の形態と同様に、例えば累計金額、残額、チャージ履歴、取引履歴、決済予定日、口座残高、ポイント合計、ポイント有効期限、更新履歴、その他、の表示部に表示させる所望のデータを含むものとする。
【００５７】
以上のように、表示機能付き接触型ＩＣカード１Ｂでは、表示制御用ＩＣチップ２の外部入出力端子を、接触端子２１に既に形成されている予備端子Ｃ４、Ｃ８に結線するので、表示制御用ＩＣチップ２は接触型ＩＣチップ２３が出力したデータを表示用データとして取得できるようになる。
【００５８】
表示制御用ＩＣチップ２と接触端子２１との接続は、例えば図８に示す例のように実現される。
すなわち、図８に示すように、表示用基板２９の表示制御用ＩＣチップ２等を配設した面を、接触通信用基板２５の接触端子背面側に向き合わせ、表示制御用ＩＣチップ２と接触端子２１のＣ７端子を導線Ｌ２またはバンプにより接続する。またはＣ７端子に接続される導線Ｌ３またはＬ４に導線Ｌ２またはバンプを接続する。通信用基板２５には導線Ｌ２を通す導通孔Ｈ３が形成される。
【００５９】
以上のように、構成される表示機能つき接触型ＩＣカード１Ｂは、導線Ｌ２を用いて、接触端子２１に表示制御用ＩＣチップ２を電気的に接続させるので、表示用基板２９と接触通信用基板２５とがそれぞれ独立した部材として開発できる。特に、接触通信用基板２５は既存の任意のタイプのものをそのまま利用することが可能となり、開発期間、製造期間を短縮させ、製造コストを抑えることが可能となる。
【００６０】
本第２の実施の形態の表示機能付き接触型ＩＣカード１Ｂの動作は、第１の実施の形態の表示機能付き非接触ＩＣカード１Ａの動作と同様である。
すなわち、表示機能付き接触型ＩＣカード１Ｂにおいて、表示制御用ＩＣチップ２は、接触型ＩＣチップ２３から出力され、ＩＣカードリーダライタ２０へ送信されるデータ（レスポンスデータ）を、接触端子２１に結線された導線Ｌ２にて読み出す。また表示制御用ＩＣチップ２は、読み出したレスポンスデータから所定の表示用データを抽出し、メモリ４に保持する。そして表示制御用ＩＣチップ２は、所定のタイミングでドライバ３を駆動し、メモリ４に保持されているデータを表示部５に表示させる。
【００６１】
以上説明したように、第２の実施の形態の表示機能付き接触型ＩＣカード１Ｂは、ＩＣカードリーダライタ２０との間で通信を行い、格納されたプログラムに応じたデータ処理を実行する接触型ＩＣチップ２３と、接触型ＩＣチップ２３に接続され、ＩＣカードリーダライタ２０と表示機能付き接触型ＩＣカード１Ｂとの間のデータ伝送路となる接触端子２１と、カード基体１０に設けられた表示部５と、表示部５を駆動制御する表示制御用ＩＣチップ２と、表示部５に表示されるデータを格納するメモリ４と、を備え、表示制御用ＩＣチップ２は、接触端子２１に結線される。
そして、表示制御用ＩＣチップ７は、接触端子２１を介して伝送されるデータを読み取り、読み取ったデータから累計金額等の所定データを抽出してメモリ４に保持し、所定のタイミングで保持されたデータを表示部５に表示させる。
【００６２】
これにより、表示制御用ＩＣチップ２は、接触端子２１にて伝送されるデータから表示用のデータを取得できる。そのため、接触型ＩＣチップ２３に表示データ出力端子を設ける必要がない。そのため、既存の接触型ＩＣチップ２３や接触通信用基板２５をそのまま利用して、表示機能付きＩＣカード１を作成することができるようになる。
【００６３】
なお、図３及び図８に示すＩＣカード１の断面構造は一例であり、各部の配置、配線等はこれらの例に限定されるものではない。
【００６４】
以上、添付図面を参照して、本発明に係る表示機能付きＩＣカード等の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００６５】
１・・・・・・表示機能付きＩＣカード
１Ａ・・・・・・表示機能付き非接触ＩＣカード
１Ｂ・・・・・・表示機能付き接触型ＩＣカード
２・・・・・・・表示制御用ＩＣチップ
３・・・・・・・ドライバ
４・・・・・・・メモリ
５・・・・・・・表示部
６・・・・・・・アンテナコイル
７・・・・・・・非接触型ＩＣチップ
Ｌ１，Ｌ２・・・・導線
１０・・・・・・・カード基体
１１・・・・・・・表示用基板
１３・・・・・・・非接触通信用基板
１５、１７・・・・外装フィルム
２１・・・・・・・接触端子
２３・・・・・・・接触型ＩＣチップ
２５・・・・・・・接触通信用基板
２９・・・・・・・表示用基板
【図１】
0005381794.tif 000002
【図２】
0005381794.tif 000003
【図３】
0005381794.tif 000004
【図４】
0005381794.tif 000005
【図５】
0005381794.tif 000006
【図６】
0005381794.tif 000007
【図７】
0005381794.tif 000008
【図８】
0005381794.tif 000009